(57)【要約】【課題】トラックによって輸送する際、収納物を効率良く積むことができ、これによって輸送コストの低減化を図ることのできるパレットを提供すること。【解決手段】収納物をトラックに積荷する際、従来技術のように多種多様なパレットを用いるのではなく、１つのパレットでありながら、２種類の高さの形態を有しているパレット１０を用いることで、個々のトラックや種々の収納物に合った配置、方法で積荷することができることによって、多種多様なパレットを購入するコストや積載効率に関する不満などを解消することができる。【選択図】図１１
2005119703.tif 000002
【特許請求の範囲】
【請求項１】
トラックの荷台に上下に積み重ね可能に載せられて建築資材などの収納物を運搬するパレットにおいて、
収納物を載置する載置枠と、この載置枠の四隅に上方に向かって設けられた支柱体と、積み重ねられた際に支柱体に嵌合する嵌合脚と、前記支柱体に嵌合して支柱体の長さを長くする延長柱体とから構成され、前記支柱体と延長柱体は、トラックの高さ制限の高さ寸法の整数分の一の長さ寸法に設定されていることを特徴とするパレット。
【請求項２】
前記延長柱体は、取付装置を介して前記支柱体に取り付けられ、この取付装置は支柱体に取り付けられた固定板部と、延長柱体に設けられた可動板部と、これら固定板部と可動板部とを回動可能に連結する回動支軸とを備え、前記可動板部には、回動支軸が嵌合する長孔が形成され、かつ延長柱体は、格納時には回動支軸を中心に折りたたまれて載置枠上に載置され、支柱体への取り付け時には、回動支軸を中心に扇形を描くように直立し、そこで前記支柱体の上端部と、前記延長柱体の下端部とが合わさり、延長柱体の内部に支柱体を嵌め込むことによって取り付けられ、前記支柱体と前記延長柱体とが嵌合されることを特徴とする請求項１記載のパレット。
【請求項３】
前記支柱体と前記延長柱体が嵌合された状態の前記パレットの、前記嵌合脚の底面から前記延長柱体の上端までの高さが、トラックの高さ制限の高さ寸法の１／４の高さであることを特徴とする請求項１または２記載のパレット。
【請求項４】
前記延長柱体が折りたたまれて格納された状態の前記パレットの、前記嵌合脚の底面から前記支柱体の上端までの高さが、トラックの高さ制限の高さ寸法の１／８の高さであることを特徴とする請求項１〜３のいずれか一項に記載のパレット。
【発明の詳細な説明】
【技術分野】
【０００１】
本発明は、パネルなどの建築用収納物を移送する際に用いられるパレットに関する。
【背景技術】
【０００２】
パネルなどの建築資材を例えば工場から施工現場に移送するには、予めパレットに各種建築資材を積んでおき、これをフォークリフト等によってトラックに載せ、施工現場に輸送する。このような輸送に用いられるパレットとしては、従来では特に規格化されたものはなく、収納物の大きさや形状に応じて種々のものが用いられている。すなわち、例えば図１２に示すように上下に積み重ねが可能なパレット１や、金網で囲いが設けられた篭状のパレット２、底板と側板とからなるパレット３が収納物に応じて適宜使用され、トラックに積まれて輸送されるのである。ここで、例えばパレット１は、底体１ａとこれの側部に設けられた柱体１ｂとからなり、柱体１ｂの底部に、該パレット１を他のパレット１に重ねた際その柱体１ｂと嵌合する嵌合脚１ｃを有したものである。
【０００３】
しかしながら、このようなパレットにあっては以下に述べる不都合がある。前記パレットを用いて建築資材を輸送する場合、これらパレットをトラックの荷台に積むとき、各パレットの大きさや形状がバラバラであるため、実際に荷台に積んでみないとどれだけ積めるか分からず、しかも積め方の巧拙によっては積める量も変わってしまうことから荷積みに時間がかかってしまう。
【０００４】
また、一般にパレットは同種のものどうしでは上下に積み重ねができるが、異種のものどうしではこれができず、したがって限られたスペースのトラックの荷台にこれらを効率良く積むのが非常に困難である。すなわち、図１２に示したように各種パレットはそれぞれ収納物の大きさ等に応じて用いられるが、必ずしもトラックの荷台の高さ分、同等の大きさの収納物があるとは限らず、例えば長物の収納物がいくつかあった場合に、図１２中のパレット１を用いてこれを荷積みするが、このパレット１の上に重ねられるパレットは同種のものになるため、長物の収納物が他にない場合にはこれに別の、本来パレット１の長さを必要としないような収納物を積むことになり、結果としてトラックへの積載効率が悪くなってしまうのである。
【０００５】
また、図１２に示したパレット１にあっては、これに収納物を積んだ状態でパレット１どうしを重ねる際、当然フォークリフトなどによってこれを移動させるが、嵌合脚１ｃの位置が正確に柱体１ｂの上にこないと嵌合脚１ｃと柱体１ｂとの嵌合がなされず、したがってパレット１、１の正しい積み重ねがなされないといった問題がある。すなわち、嵌合脚１ｃと柱体１ｂとの嵌合がなされない状態でパレット１が置かれてしまうと、パレット１自体重量物であるためこれの位置をずらすといったことは簡単に行うことができず、結局フォークリフト等によって再度位置決めを行わなくてはならないといった不満が残るのである。
【０００６】
そこで本出願人は、特開平６−２２７５３９号「パレット」などを提案した。矩形枠状の枠本体とこの枠本体の内側に縦横に設けられた載置枠とを備えた底体と、この底体に上方に向かって設けられた複数対の柱体とからなり、底体の、柱体が設けられた位置に、底体の下面に開口して他のパレットの柱体の頭部と嵌合する嵌合穴が設けられたものである。そして、長さの異なるパレットにおいても底体長手方向の柱体間の間隔がそれぞれ長さモジュール単位に設定されており、これにより、長さの異なるパレットの積み重ねが可能になって、資材の大きさに応じて異なる長さのパレットを用いても、トラック等の荷台に、互いに異なるパレットどうしを何ら支障なく積み重ねることが可能になるものである。
【発明の開示】
【発明が解決しようとする課題】
【０００７】
本出願人の提案した上記パレットにおいても次のような課題があった。すなわち、本出願人等が提案したパレットは、パレットの大きさを、大中小といった形態で規格化し、また各パレットはトラックの大きさ、高さに合わせてパレットの柱体間の間隔をモジュール化したので、大中小のパレットを組み合わせて積み重ねることができ、これにより、積載効率を向上させる利点を有しているが、柱体の高さが一定の高さに設定されているため、パレットに積む資材によっては上下のパレット間に隙間が空いて、資材を満載にすることができないといった課題があった。
特に近年では、パレットで移送すべき建築資材の種類が多様化し、細かい建築資材の移送が増えたこともあって、上記課題の解決が強く望まれていた。
また、工場においては、移送すべき建築資材に応じて、大中小のパレット数を予め多く用意しておかなければならず、パレットの歩留まりも悪いといった問題点もあった。
【０００８】
本発明は前記事情に鑑みてなされたもので、その目的とするところは、トラックで建築資材などを輸送する際、１つのパレットでありながら２種類の高さの形態を持つパレットを用いることによって、従来の半分の高さのパレットを提供することができ、これにより収納物を効率良く積むことができるとともに、輸送コストの低減化を図ることができ、また、工場に置くパレットの歩留まりも良くすることを目的とするパレットを提供することにある。
【課題を解決するための手段】
【０００９】
本発明における請求項１記載のパレット１０では、収納物を載置する載置枠１１と、この載置枠１１の四隅に上方に向かって設けた支柱体１２と、積み重ねた際に支柱体１２に嵌合する嵌合脚１３と、支柱体１２に嵌合させて支柱体１２の長さを長くする延長柱体１４とから構成し、支柱体１２と延長柱体１４は、トラックの高さ制限の高さ寸法の整数分の一の長さ寸法に設定していることを前記課題の解決手段とした。
【００１０】
本発明におけるパレットによれば、延長柱体を支柱体に嵌合させることにより、パレットを支柱体の高さと延長柱体を合わせた高さの二種類設定することができるので、従来のパレットに比べて建築資材の高さに応じた最も適したものを設定でき、トラックの高さ寸法内での積載効率を向上させることができる。
【００１１】
請求項２記載のパレット１０では、延長柱体１４は、取付装置１５を介して支柱体１２に取り付け、この取付装置１５は支柱体１２に取り付けた固定板部１６と、延長柱体１４に設けた可動板部１７と、これら固定板部１６と可動板部１７とを回動可能に連結する回動支軸１８とを備え、可動板部１７には、回動支軸１８が嵌合する長孔１９を形成し、かつ延長柱体１４は、格納時には回動支軸１８を中心に折りたたんで載置枠１１上に載置している。支柱体１２への取り付け時には、回動支軸１８を中心に扇形を描くように直立させ、そこで支柱体１２の上端部と、延長柱体１４の下端部とを合わせ、延長柱体１４の内部に支柱体１２を嵌め込むことによって取り付け、支柱体１２と延長柱体１４とを嵌合することを前記課題の解決手段とした。
【００１２】
請求項２記載のパレットによれば、延長柱体を折りたたんで格納でき、また延長柱体を格納した状態においては、この延長柱体が建築資材の柵としての機能を果たすといった利点がある。そして、取付装置によって延長柱体を回転支軸を中心に立ち上げれば、簡単に延長柱体の取付下端を支柱体上端にあわせて嵌め合わすことができ、延長柱体の取り付けも容易になるといった利点がある。
【００１３】
請求項３記載のパレット１０では、支柱体１２と延長柱体１４を嵌合した状態の、嵌合脚１３の底面から延長柱体１４の上端までの高さが、トラックの高さ制限の高さ寸法の１／４の高さであることを前記課題の解決手段とした。
【００１４】
請求項４記載のパレット１０では、延長柱体１４を折りたたんで格納した状態の、嵌合脚１３の底面から支柱体１２の上端までの高さが、トラックの高さ制限の高さ寸法の１／８の高さであることを前記課題の解決手段とした。
【００１５】
また、パレット１０は前記のように、支柱体１２と延長柱体１４を嵌合した状態の高さが、予め決められた高さモジュール単位の１／４の高さであり、延長柱体１４を折りたたんだ状態の高さが、予め決められた高さモジュール単位の１／８の高さとなっているので、１つのパレットでありながら、２種類の高さの形態を有している。このことにより、パレット１０を積層する際には、組み合わせ次第では数種類もの構造になる。
【００１６】
また、予め決められた高さモジュール単位の１／８の高さのパレット１０を積層した組み合わせの場合、パレットの容量に合った建築資材を積載することができるので、それら建築資材の上部などに無駄なスペースを生じさせず、細かな建築資材などでも整然と積載できる。
【００１７】
同じく、予め決められた高さモジュール単位の１／８の高さのパレット１０を積層した組み合わせの場合、延長柱体を折りたたんで格納してある状態なので、この延長柱体が柵の役割を果たし、細かな建築資材などの輸送中の荷崩れなどを抑制することができる。
【発明の効果】
【００１８】
以上説明したように本発明のパレット１０は、トラックに積荷する際、従来技術のように多種多様なパレットを用いるのではなく、１つのパレットでありながら、２種類の高さの形態を有しているパレット１０を使用することで、各々のトラックや種々の収納物に合った配置、方法で積荷することができることによって、多種多様のパレットを購入するコストや積載効率に関する不満などを解消することができる。また、パレット１０を、予め決められた高さモジュール単位の１／８の高さの状態に折りたたみ、多数積層した場合でも、収納物を積載することができる。特に、細かい収納物を積載する場合には好適で、無駄なスペースを作らずに整然と積載できるとともに、折りたたまれた延長柱体１４が柵の役割をも持つことによって、輸送中の収納物のブレを抑える効果もあり、より安全な輸送につながる。
【発明を実施するための最良の形態】
【００１９】
以下、本発明の好適な実施の形態について添付の図１〜図１１を参照して説明する。
【実施例１】
【００２０】
図１および図２（ａ）、（ｂ）、（ｃ）は本発明の実施例１のパレット１０を示す説明図で、これらの図に示すパレット１０は収納物を載置する載置枠１１と、この載置枠１１の四隅に上方に向かって設けた支柱体１２と、積み重ねた際に支柱体１２に嵌合する嵌合脚１３と、支柱体１２に嵌合させて支柱体１２の長さを長くする延長柱体１４とから構成されて、支柱体１２と延長柱体１４は、トラックの高さ制限の高さ寸法の整数分の一の長さ寸法に設定されている。
【００２１】
図１に示す、延長柱体１４を折りたたんだパレット１０は、嵌合脚１３の底面から支柱体１２の上端までの高さＨ１が、予め決められた高さモジュール単位である、トラックの高さ制限の高さ寸法の１／８の高さに一致したものとなっている。
また、図２（ｂ）に示す、支柱体１２と延長柱体１４を嵌合させた高さであって、嵌合脚１３の底面から延長柱体１４の上端までの高さＨ２が、予め決められた高さモジュール単位の１／４の高さである。
つまり、嵌合脚１３の底面から延長柱体１４の上端までの高さＨ２は、嵌合脚１３の底面から支柱体１２の上端までの高さＨ１の２倍の高さとなっている。
【００２２】
図２（ａ）に示す、収納物を載置する前記載置枠１１は、矩形状の枠を形成する鋼製の縦枠部材４１と横枠部材４２と、前記矩形状の枠の内側に縦横に設けられた鋼製の縦載置部材４３と横載置部材４４とで構成されている。
また、図２（ｂ）に示すように、横枠部材４２には挿通部材４０が設けられている。これら挿通部材４０は、その中空部にフォークリフトのフォークを挿通せしめるためのものである。
【００２３】
図１および図２（ａ）に示すように、前記支柱体１２は正四角形状の鋼製で、前記載置枠１１の四隅に上方に向かって設けられており、支柱体上部２３と支柱体下部２４とで構成されている。この支柱体上部２３の外郭は延長柱体１４の下部と嵌まり合うような周となっている。また、支柱体下部２４は下端に嵌合脚１３が接合されており、支柱体下部２４の外郭は、延長柱体１４の外郭と同一の周に設定されている。
【００２４】
延長柱体１４は、正四角形状で中空状となっており、鋼製である。この延長柱体１４の外郭は支柱体上部２３と嵌まり合うような周となっており、また、支柱体下部２４の外郭と同一の周となっている。これにより、延長柱体１４は支柱体上部２３に覆い被さるように嵌まり合うことができる。
【００２５】
また、図１および図２（ｃ）に示すように、延長柱体１４は、取付装置１５を介して支柱体１２に取り付けられ、この取付装置１５は支柱体１２に取り付けられた固定板部１６と、延長柱体１４に設けられた可動板部１７と、これら固定板部１６と可動板部１７とを回動可能に連結する回動支軸１８とが備えられ、可動板部１７には、回動支軸１８が嵌合する長孔１９が形成され、かつ延長柱体１４は、格納時には回動支軸１８を中心に折りたたまれて載置枠１１上に載置されている。
【００２６】
前記支柱体１２と延長柱体１４を嵌合させるには、延長柱体１４を、固定板部１６と可動板部１７と回動支軸１８と可動板部１７に設けた長孔１９、からなる取付装置１５を介して支柱体１２に取り付け、取付装置１５の回動支軸１８を軸に、延長柱体１４を、扇形を描くようにして直立させ、そこで支柱体１２の上端部と、延長柱体１４の下端部とを合わせ、回動支軸１８を長孔１９の上部から下部に向けて垂直に下げることによって、支柱体１２と延長柱体１４とを嵌合させる。
【００２７】
支柱体１２が設けられた載置枠１１の、支柱体１２が設けられた位置には、他のパレットと積み重ねられた際、該パレットの延長柱体の上端部に嵌合する嵌合穴を有した嵌合脚１３が設けられている。この嵌合脚１３は、外形状が正円錐台状のもので、その開口部が延長柱体１４の天面より大面積の正円状でかつ内部に行くに連れて漸次小面積の正方形状となり、さらにその底面（開口部と反対側の面）が延長柱体１４の天面形状にほぼ一致する大きさに形成されたものである。なお、このような嵌合穴を有する嵌合脚１３は、支柱体１２の下端部に溶接されている。
また、この時、嵌合脚１３部分の底面（開口部と反対側の面）が延長柱体１４の天面形状にほぼ一致する大きさに形成されたものであれば、それよりも外郭の周が細い支柱体の天面部も嵌まり合うことができる。
【００２８】
また、図１および図２（ａ）、（ｂ）、（ｃ）のパレット１０において、予め決められた高さモジュール単位の１／４の高さのものについては互いに積み重ねて、トラックの高さモジュール単位の１／１の荷台に４段分積み込んで使用でき、また延長柱体１４を折りたたんだ状態の１／８の高さのパレット１０については同じ高さのパレット１０を上下に２段積み重ねることによって前記１／４のものと同じ高さに揃えることができ、トラックに積み込む際は８段分まで重ねることができる。この高さモジュール単位がトラックに収納物を積む際の最適な、すなわち荷台の高さスペースを最も有効に使用できる高さであることから、より効率の良い積み込みが可能になるのである。
【００２９】
図１および図２に示したパレット１０は、支柱体１２と延長柱体１４を嵌合した状態の高さが、予め決められた高さモジュール単位の１／４の高さであり、延長柱体１４を折りたたんだ状態の高さが、予め決められた高さモジュール単位の１／８の高さとなっているので、１つのパレットでありながら、２種類の高さの形態を有している。このことにより、パレット１０を積層する際には、組み合わせ次第では数種類もの構造になる。このことにより、収納物を効率良く積むことができるとともに、従来のように建築資材に合わせた大中小などの全種類のパレットを用意する必要がなくなり、輸送コストの低減化を図ることができ、また、工場に置くパレットの歩留まりも良くすることができる。
【実施例２】
【００３０】
図３は実施例２のパレット２０を示すものである。本実施例２のパレット２０は、収納物を載置する載置枠１１と、この載置枠１１の四隅に上方に向かって設けられた支柱体１２とが設けられている。載置枠１１と支柱体１２の構造は、前記のパレット１０の載置枠１１と支柱体１２と同じであるが、前記パレット１０と違い、延長柱体１４が取り付けられていないことが特徴となっている。
支柱体１２を設けられた載置枠１１の、支柱体１２を設けられた位置には、他のパレットに積み重ねられた際、該パレットの支柱体１２の上端部もしくは延長柱体上部２６の上端部に嵌合する嵌合穴を有した嵌合脚１３が設けられている。この嵌合脚１３は、外形状が正円錐台状のもので、その開口部が延長柱体２２の天面より大面積の正円状でかつ内部に行くにつれて漸次小面積の正方形状となり、さらにその底面（開口部と反対側の面）が延長柱体２２の天面形状にほぼ一致する大きさに形成されたものである。なお、このような嵌合穴を有する嵌合脚１３は、支柱体１２の下端部に溶接されている。
なお、このパレット２０は、嵌合脚１３の底面から支柱体１２の上端までの高さＨ１が予め決められた高さモジュール単位の１／８の高さとなっており、パレット１０の高さＨ１と同一の高さである。
【００３１】
図５に示す延長柱体２２は、延長柱体上部２６と延長柱体下部２７とで形成されており、パレット２０の支柱体１２に嵌合するものであるので、延長柱体下部２７は正四角形で中空状となっており、鋼製である。また、延長柱体上部２６と延長柱体下部２７の接合部には接合部材２５が設けられており、太さが違う延長柱体上部２６と延長柱体下部２７を接合している。
また、この延長柱体２２は、長さの違う数種類の延長柱体を用意することで、様々な高さに設定できるもので、支柱体１２と延長柱体２２を嵌合させることで、トラックの高さ制限の高さ寸法の整数分の一の長さ寸法に設定することができる。
【００３２】
図４はパレット２０の支柱体１２に延長柱体２２ａを嵌合した図である。この延長柱体２２ａをパレット２０に嵌合することによって、予め決められた高さモジュール単位の１／４の高さＨ２となる。つまり、嵌合脚１３の底面から支柱体１２の上端までの高さである、予め決められた高さモジュール単位の１／８の高さＨ１よりも、予め決められた高さモジュール単位の１／８の高さ分高くすることができる。これにより、パレット２０の積載範囲が２倍の高さとなり、より多くの収納物を積載することができる。
【００３３】
図６に示す実施例は、パレット２０に延長柱体２２ａを嵌合させ、高さがＨ２となるようなパレットを４段に積層させたことを示す図である。下段に配置したパレットの延長柱体２２ａの上端部に、上段に積み重ねたパレットの嵌合脚１３を被せるように嵌合させて積層させている。この高さＨ２のパレットは予め決められた高さモジュール単位の１／４の高さであるから、これを４段重ねることによって、高さＨ３である高さモジュール単位の１／１、すなわち、トラックの荷台の高さとなる。この高さＨ３に積層したパレットがトラックに収納物を積む際に、最適で、荷台の高さスペースを最も有効に使用できる高さであることから、より効率の良い積み込みが可能になる。
【００３４】
図７に示す実施例は、パレット２０に、高さＨ５の延長柱体２２ｂを嵌合させ、高さがＨ４となるようなパレットを３段に積層したことを示す図である。下段に配置したパレットの延長柱体２２ｂの上端部に、上段に積み重ねたパレットの嵌合脚１３を被せるように嵌合させて積層させている。この高さＨ４のパレットは予め決められた高さモジュール単位の１／３の高さであるから、これを３段重ねたことによって、高さＨ３である高さモジュール単位の１／１、すなわち、トラックの荷台の高さとなる。また、上記のように、高さＨ３に積層したパレットがトラックに収納物を積む際に、最適で、荷台の高さスペースを最も有効に使用できる高さであり、図６の実施例よりも積載可能な範囲が高くなることによって、より多くの建築資材や大きい建築資材を積載することができるので、効率の良い積み込みが可能になる。
【００３５】
図８に示す実施例は、パレット２０に、高さＨ７の延長柱体２２ｃを嵌合させ、高さがＨ６となるようなパレットを２段に積層したことを示す図である。下段に配置したパレットの延長柱体２２ｃの上端部に、上段に積み重ねたパレットの嵌合脚１３を被せるように嵌合させて積層させている。この高さＨ６のパレットは予め決められた高さモジュール単位の１／２の高さであるから、これを２段重ねたことによって、高さＨ３である高さモジュール単位の１／１、すなわち、トラックの荷台の高さとなる。また、上記のように、高さＨ３に積層したパレットがトラックに収納物を積む際に、最適で、荷台の高さスペースを最も有効に使用できる高さであり、図６の実施例や図７の実施例よりも積載可能な範囲が高くなることによって、より多くの建築資材や大きい建築資材を積載することができるので、効率の良い積み込みが可能になる。
【００３６】
前記実施例のように、様々な長さの延長柱体２２を、大きい収納物から小さい収納物まで、収納物に合わせて用いることによって、トラックの荷台の高さに合わせた積み込みが可能となる。この延長柱体２２は前記実施例に限られたものではなく、様々な収納物に合ったもので、かつ延長柱体２２とパレット２０の様々な組み合わせによって、更に効率の良い積み込みが望めるものであることは言うまでもない。
【実施例３】
【００３７】
図９（ｂ）は、パレット２０に、載置枠付き延長柱体３０ａを嵌合させ、高さがＨ２となる実施例を示す図である。
収納物を載置する載置枠部３１と、この載置枠部３１の四隅に上方に向かって設けられた延長柱体３２からなり、この載置枠部３１は前記載置枠１１と同じ構造を有している。延長柱体３２は、パレット２０の支柱体１２に嵌合するものであるので、正四角形で中空状となっており、鋼製の部材となっている。
載置枠付き延長柱体３０ａは、図９（ａ）に示すように、パレット２０の支柱体１２に嵌合させることによって、上下２段のパレットとなる。特に上段の載置枠部３１には、天井部分（上に積層したパレットの底部）など、収容範囲にとらわれずに積載することができるようになる。また、下段には、細かい建築資材などを積載するのに好適で、上下のパレット間に隙間が空いてしまうようなことがなく、効率良く資材を積載することができる。
また、載置枠付き延長柱体３０ａをパレット２０に嵌合させた高さを、ここでは高さＨ２としたが、実際に載置する建築資材等の形状などに合わせて、実施例２に記載の延長柱体２０の高さＨ５、Ｈ７のものと同様の高さを持つ延長柱体を備えた載置枠付き延長柱体を用いても良い。
【００３８】
図１０（ｂ）に示す載置枠付き延長柱体３０ｂは、延長柱体３２の取り付け位置が、図９（ｂ）の載置枠付き延長柱体３０ａとは異なり、載置枠部３１の四隅に、下方に向かって設けられている。また、同じく載置枠部３１は前記載置枠１１と同じ構造を有しており、延長柱体３２は、パレット２０の支柱体１２に嵌合するものであるので、正四角形で中空状となっており、鋼製の部材となっている。
載置枠付き延長柱体３０ｂは、図１０（ａ）に示すように、パレット２０の支柱体１２に嵌合させることによって、上下２段のパレットとなる。上段の載置枠部３１には、天井部分（上に積層したパレットの底部）や、突き出している支柱体などが無い状態となるので、積載する資材などの制限を持たないことが特徴となっている。特に、パレットの枠以上の大きさを持つような資材などには好適である。また、下段にも資材などを積載することができるようになっているので、無駄な隙間を作ることなく、効率良く資材を積載することができる。
また、図１０（ａ）に示すように、載置枠付き延長柱体３０ｂをパレット２０に嵌合させた高さを、ここでは高さＨ２としたが、実際に載置する建築資材等の形状などに合わせて、実施例２に記載の延長柱体２０の高さＨ５、Ｈ７のものと同様の高さを持つ延長柱体を備えた載置枠付き延長柱体を用いても良い。
【実施例４】
【００３９】
図１１は、実施例１〜実施例３に示した実施例をトラックに当てはめたもので、トラックは高さモジュール単位１／１の高さＨ３となっている。このように、実施例１〜実施例３に示した実施例は必ずしも実施例どおりに構成しなければならないのではなく、種々の組み合わせにより、種々の構成をもって積層することができる。これにより、収納物を効率良く積むことができ、輸送コストの低減化を図ることができる。
【図面の簡単な説明】
【００４０】
【図１】図１はパレット１０を積層した側面図である。
【図２】図２（ａ）はパレット１０の構造を示す平面図である。図２（ｂ）はパレット１０の構造を示す正面図である。図２（ｃ）はパレット１０の構造を示す側面図である。
【図３】図３はパレット２０を示す側面図である。
【図４】図４はパレット２０に延長柱体２２ａを嵌合させた側面図である。
【図５】図５は延長柱体２２の構造を示す断面図である。
【図６】図６はパレット２０に延長柱体２２ａを嵌合させて４段に積層した側面図である。
【図７】図７はパレット２０に延長柱体２２ｂを嵌合させて３段に積層した側面図である。
【図８】図８はパレット２０に延長柱体２２ｃを嵌合させて２段に積層した側面図である。
【図９】図９（ａ）はパレット２０に載置枠付き延長柱体３０ａを嵌合させた側面図である。図９（ｂ）は載置枠付き延長柱体３０ａの構造を示す断面図である。
【図１０】図１０（ａ）はパレット２０に載置枠付き延長柱体３０ｂを嵌合させた側面図である。図１０（ｂ）は載置枠付き延長柱体３０ｂの構造を示す断面図である。
【図１１】図１１は本発明の実施例１〜実施例３記載のパレット１０、２０の積載方法を示した図である。
【図１２】図１２は従来のパレット１、２、３の積載方法を示した図である。
【符号の説明】
【００４１】
１０、２０  パレット
１１  載置枠
１２  支柱体
１３  嵌合脚
１４  延長柱体
１５  取付装置
１６  固定板部
１７  可動板部
１８  回動支軸
１９  長孔
２２  延長柱体
３０  載置枠付き延長柱体
【図１】
2005119703.tif 000003
【図２】
2005119703.tif 000004
【図３】
2005119703.tif 000005
【図４】
2005119703.tif 000006
【図５】
2005119703.tif 000007
【図６】
2005119703.tif 000008
【図７】
2005119703.tif 000009
【図８】
2005119703.tif 000010
【図９】
2005119703.tif 000011
【図１０】
2005119703.tif 000012
【図１１】
2005119703.tif 000013
【図１２】
2005119703.tif 000014